(57)【要約】      （修正有）【課題】発光の安全性が増加し、警告効果を有し、特定の光造形をすることができる発光機能付き帽子を提供する。【解決手段】本体１０と、電子回路部材２０と、収容（タッチファスナー）構成３０と、複数の光ファイバー４０と、を含む発光機能付き帽子において、本体１０は、その前端に帽子ツバ１１を設け、その内部には下方に開口した収容空間を形成する。電子回路部材２０は、回路板２１と少なくとも一つの発光子２２とを含む。回路板２１が複数の電線２５を介して発光子２２と電気的に接続するとともに、スイッチ２３と、複数の電池２４とを具備する。収容構成３０は、電子回路部材２０の回路板２１を収容するための収容空間を含み、本体１０の収容空間１２内に固定され、複数の光ファイバー４０は、帽子ツバ１１に沿って設けられ、その両端を発光子２２の発光方向に合わせて構成する。【選択図】図１
0003148674.tif 000002
【実用新案登録請求の範囲】
【請求項１】
本体と、電子回路部材と、収容構成と、複数の光ファイバーと、を含む発光機能付き帽子において、
前記本体は、その前端には帽子ツバが設けられており、その内部には収容空間が形成されており、前記収容空間は、下方へ開口しており、その開口の周縁には仕切板が縫われており、前記仕切板と前記本体との間には遮り空間が形成されており、
前記電子回路部材は、回路板と、少なくとも一つの発光子と、を含み、前記回路板が複数の電線を介して前記発光子と電気的に連接しており、前記回路板には、スイッチと、複数の電池と、が設けられており、
前記収容構成は、前記電子回路部材の前記回路板を収容するための収容空間を含み、前記本体の収容空間内に固定されており、前記仕切板によりユーザのヘッドと接触することなく、
前記複数の光ファイバーは、前記帽子ツバに沿って設けられており、その両端が前記発光子の発光方向に合わせられており、そして前記光ファイバーは、前記本体の縫いラインに沿って設けているか、または特定の形状に湾曲されていることを特徴とする、発光機能付き帽子。
【請求項２】
前記発光子は、発光ダイオードであり、前記発光ダイオードには、前記発光ダイオードの点滅状態を制御する制御回路が電気的に連接されていることを特徴とする、請求項１に記載の発光機能付き帽子。
【請求項３】
前記本体は布製品であることを特徴とする、請求項１に記載の発光機能付き帽子。
【考案の詳細な説明】
【技術分野】
【０００１】
本考案は発光機能付きの帽子に係り、特に本体又は帽子ツバには発光可能な光ファイバーが設けられていることにより、発光の安全性が増加し、警告効果を有し、特定の光造形をすることができる発光機能付き帽子に関する。
【背景技術】
【０００２】
従来、帽子の使用は極めて広汎であり、特殊な用途に使用される帽子を除くと、帽子は陽光を遮り、雨水とユーザのヘッドとの接触を防止し、又はユーザの外見を装飾する用途に使用され、なお、帽子に発光子を付けることによりユーザの前方の道を照明するものも市販されている。
【０００３】
しかしながら、従来の発光機能付き帽子によれば、次のような欠点があった。
（１）発光子が帽子の前面に設けられるだけであり、ユーザの後方にいる人はユーザの存在を知ることができない。
【０００４】
（２）ユーザの前方の道を照明する機能だけを有し、発光子の発光効率が良くないと、周りを照明する効果が低く、そして発光子によって特定の光造形をすることもできない。
【考案の開示】
【考案が解決しようとする課題】
【０００５】
本考案の主な目的は、発光の安全性が増加し、警告効果を有し、特定の光造形をすることができる発光機能付き帽子を提供することにある。
【課題を解決するための手段】
【０００６】
本考案の請求項１に記載の発光機能付き帽子によると、本体と、電子回路部材と、収容構成と、複数の光ファイバーと、を含む発光機能付き帽子において、前記本体は、その前端には帽子ツバが設けられており、その内部には収容空間が形成されており、前記収容空間は、下方へ開口しており、その開口の周縁には仕切板が縫われており、前記仕切板と前記本体との間には遮り空間が形成されており、前記電子回路部材は、回路板と、少なくとも一つの発光子と、を含み、前記回路板が複数の電線を介して前記発光子と電気的に連接しており、前記回路板には、スイッチと、複数の電池と、が設けられており、前記収容構成は、前記電子回路部材の前記回路板を収容するための収容空間を含み、前記本体の収容空間内に固定されており、前記仕切板によりユーザのヘッドと接触しなく、前記複数の光ファイバーは、前記帽子ツバに沿って設けられており、その両端が前記発光子の発光方向に合わせられており、そして前記光ファイバーは、前記本体の縫いラインに沿って設けてもいいし、特定の形状に湾曲されてもよいことを特徴とする発光機能付き帽子である。
【０００７】
本考案の請求項２に記載の発光機能付き帽子によると、前記発光子は、発光ダイオードでもよく、前記発光ダイオードには、前記発光ダイオードの点滅状態を制御する制御回路が電気的に連接されている。
【０００８】
本考案の請求項３に記載の発光機能付き帽子によると、前記本体は布製品でもよい。
【考案の効果】
【０００９】
本考案の発光機能付き帽子によれば、発光の安全性が増加し、警告効果を有し、特定の光造形をすることができるという効果を有する。
【考案を実施するための最良の形態】
【００１０】
以下、本考案の実施の形態を図面に基づいて説明する。
まず、図１及び図２を参照する。本考案に係る発光機能付き帽子は、本体１０と、電子回路部材２０と、収容構成と、複数の光ファイバー４０と、を含む。
【００１１】
前記本体１０は、天然繊維又は人造繊維の製品であり、その前端には帽子ツバ１１が設けられており、その内部には収容空間１２が形成されており、前記収容空間１２は、下方へ開口しており、その開口１３の周縁には仕切板１４が縫われており、前記仕切板１４と前記本体１０との間には遮り空間１５が形成されている。
【００１２】
前記電子回路部材２０は、回路板２１と、少なくとも一つの発光子２２と、を含み、前記回路板２１が複数の電線２５を介して前記発光子２２と電気的に連接しており、前記回路板２１には、スイッチ２３と、複数の電池２４と、が設けられている。
【００１３】
前記収容構成は、前記電子回路部材２０の前記回路板２１を収容するための収容空間を含み、タッチファスナー構成３０を採用してもよく、前記タッチファスナー構成３０の第一タッチファスナー３１が遮り空間１５に固定されており、第二タッチファスナー３２が袋３３の表面に固定されており、第三タッチファスナー３４が袋３３の袋閉め３５に固定されており、前記回路板２１が袋３３に入れられており、第二タッチファスナー３２に第三タッチファスナー３４を粘着すると回路板２１が固定されるようになり、第一タッチファスナー３１に第二タッチファスナー３２を粘着すると袋３３が固定されるようになり、前記仕切板１４により袋３３がユーザのヘッドと接触しない。
【００１４】
前記複数の光ファイバー４０は、前記帽子ツバ１１に沿って設けられており、その両端が前記発光子２２の発光方向に合わせられており、そして前記光ファイバー４０は、前記本体１０の複数の縫いライン１６に沿って設けてもいいし、特定の形状に湾曲されてもよく、そうすると、本考案に係る発光機能付き帽子によれば、発光の安全性が増加し、警告効果を有し、特定の光造形をすることができる。
【００１５】
前記発光子２２は、発光ダイオードでもよく、前記発光ダイオードには、前記発光ダイオードの点滅状態を制御する制御回路が電気的に連接されている。
【００１６】
また、図３に示すように、前記光ファイバー４０は、本体１０の帽子ツバ１１、又は縫いライン１６に沿って縫い設けてもいいし、特定の形状に湾曲して縫い設けてもよく、そうすると、本考案に係る発光機能付き帽子によれば、発光の安全性が増加し、警告効果を有し、特定の光造形をすることができる。
【００１７】
図１及び図２に示すように、スイッチ２３を押圧すると、スイッチ２３の押圧状態によって、発光子２２が点灯し、点滅し、又は発光しなくなり、なお、発光子２２が発光しているときには、発光子２２からの光線が光ファイバー４０に入射して、光ファイバー４０全体が明るくなる。
【００１８】
光ファイバー４０は、図４及び図５に示すように、本体１０、帽子ツバ１１の周縁、又は帽子ツバ１１の上面に貼り付けられてもよい。
【００１９】
次に、図６を参照する。図６は本考案に係る発光機能付き帽子の回路図である。本考案に係る制御回路は集積回路２１１を含み、集積回路２１１には、スイッチ２３と、複数の発光子２２と、複数の電池２４と、が電気的に連接されており、スイッチ２３をオンにすると、発光子２２が点灯し、又は点滅するようになる。
【図面の簡単な説明】
【００２０】
【図１】本考案の実施例１に係る発光機能付き帽子の分解斜視図である。
【図２】本考案の実施例１に係る発光機能付き帽子の底から見た斜視図である。
【図３】本考案の実施例１に係る発光機能付き帽子の組合状態の斜視図である。
【図４】本考案の実施例２に係る発光機能付き帽子の組合状態の斜視図である。
【図５】本考案の実施例３に係る発光機能付き帽子の組合状態の斜視図である。
【図６】本考案に係る発光機能付き帽子の回路図である。
【符号の説明】
【００２１】
１０    本体
１１    帽子ツバ
１２    収容空間
１３    開口
１４    仕切板
１５    遮り空間
１６    縫いライン
２０    電子回路部材
２１    回路板
２２    発光子
２３    スイッチ
２４    電池
２５    電線
３０    タッチファスナー構成
３１    第一タッチファスナー
３２    第二タッチファスナー
３３    袋
３４    第三タッチファスナー
３５    袋閉め
４０    光ファイバー
２１１  集積回路
【図１】
0003148674.tif 000003
【図２】
0003148674.tif 000004
【図３】
0003148674.tif 000005
【図４】
0003148674.tif 000006
【図５】
0003148674.tif 000007
【図６】
0003148674.tif 000008